(57)【要約】【課題】  限られたスペースのため重りとして十分な質量を確保することが困難である。【解決手段】  ヨーク２の内部に順次積層される板状の磁石３、トップレート４から構成される磁気回路１と、ヨーク２の側壁の内周部とトッププレート４の外周部との間に形成される空隙内に、サブパネル６の薄い平板６ａに固定したボイスコイル５を配設し、サブパネル６の外筒部側壁６ｂに保持され磁気回路１を保持するサスペンション８と、ヨーク２の外周部に固定されたリング状の重り９を備えた振動体で、サスペンション８は、同心の内部リング部８ａと外部リング部８ｂと、両リング部を連結する円弧状のアーム部８ｃとよりなる。重り９は、外周周辺部をサスペンション８側に突出する凸部９ｂを形成し、凸部９ｂを、サスペンション８に形成した外側空間領域８ｄに遊挿し、磁気回路面１より高く設定する。重りの質量を確保し、振動系の過変位、金属疲労の解消が可能になる。【選択図】  図２
2006203709.tif 000002
【特許請求の範囲】
【請求項１】
碗形状をしたヨークと、該ヨークの内部に順次積層される板状の磁石およびトップレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルの薄い平板と、該サブパネルの筒部側壁に保持され、前記磁気回路を保持するサスペンションと、前記ヨークの外周部に固定されたリング状の重りを備えた振動体において、前記サスペンションは、同心の内部リング部と外部リング部と、両リング部を連結する円弧状のアーム部とよりなり、前記重りは、外周周辺部が前記サスペンション側に突出する凸部を形成し、該重りの凸部を、前記サスペンションの外部リング部と円弧状のアーム部の間にできる外側空間領域に遊挿するように構成したことを特徴とする振動体。
【請求項２】
前記重りを前記ヨークに固定した状態で、前記重りに形成したと凸部を、前記磁気回路面より高く設定したことを特徴とする請求項１記載の振動体。
【請求項３】
前記サスペンションの外部リング部と円弧状のアーム部の間にできる外側空間領域は、振動時に前記重りの凸部と干渉を避けるように設定したことを特徴とする請求項１または２記載の振動体。
【発明の詳細な説明】
【技術分野】
【０００１】
本発明は、携帯電話やＰＤＡなどの移動通信機器に組み込まれ、パネルや電話機の筐体等を振動させることにより、着信を知らせる振動体に関する。
【背景技術】
【０００２】
従来、携帯電話やＰＤＡなどの移動通信機器には、使用者に着信を知らせるのに、ブザー音やメロディ音を発したり、音を出さずに機器の筐体を振動させるように切り替えて使用するように構成されている。そのために、小型スピーカに類する音響発生用のスピーカと、偏心重りを小型モータで回転させて振動を発生する振動体を合わせて内蔵する構造が取られてきた。しかし、このようにスピーカと振動体との両方を組込むことは機器の小型化や低価格化の上で不利であった。そこで、近年１個のもので音響と振動の両方を発生させる磁気駆動型アクチュエータである多機能型スピーカが用いられるようになっている。（例えば、特許文献１参照）
【特許文献１】特開２００１−２３９２１０号（第２頁、図４）
【０００３】
上記した特許文献１に開示されている振動体の構造は、図4に示すように、１２はカバーで合成樹脂製の筐体であり、略は箱型をしている。１３は振動板で音響出力用のものであり、カバー１２に周縁部を固着され、ボイスコイル１４が一体化されている。１５は円筒状の永久磁石であり、円筒の軸方向に磁化され、高透磁率材料よりなる円筒型カップ状のヨーク１６の中心部に固着されている。１７はトッププレートで高透磁率材料よりなる磁極片で、永久磁石１５の上端に固着されている。
【０００４】
前記永久磁石１５、トッププレート17及びヨーク１６は磁気回路を構成する。ヨーク１６にはサスペンションバネ１８が固着されている。サスペンションバネ１８はヨーク１６の外側に向かって延びる複数の腕部を有し、この腕部の外端はカバー１２に固着されている。従って、磁気回路はサスペンションバネ１８の腕状部に弾性的に懸架され、一体となって軸方向に振動することができる。
【０００５】
前記ヨーク１６の外周のリング状の部分は付加質量１９で、磁気回路の主要部の外側を占め、磁束の通路としてよりは磁気回路の固有振動数を十分低く下げるための追加質量としての役割を持つ。従って、ヨーク１６と異なる材料で別体として作り、ヨーク１６に結合しても良い。
【０００６】
前記永久磁石１５が生成する磁束はトッププレート１７の周囲側面とヨーク１６のカップ状の上端付近に集中され、強力な磁界が形成される。この磁気ギャップ内にボイスコイル１４が挿入されており、ボイスコイル１４に音響周波数の信号電流が流れると振動板１３が振動し音響を発する。カバー１２は音響機器のパネルや筐体等に固着されている。
【０００７】
上記したヨークと異なる材料で別体として作った付加質量をヨークに結合した従来例について説明する。図５、図６に示すように、この振動体の磁気回路２０は、略碗形状をしたヨーク２１と、該ヨーク２１の内部に順次積み重ねられる平板状の磁石２２およびトップレート２３から構成される。そして、この磁気回路２０と、ヨーク２１の側壁の内周部と平板状のトッププレート２３の外周部との間に形成される空隙（ギャップ）ｇ内にボイスコイル２４が配設されている。このボイスコイル２４は、前記磁気回路２０の前方でサブパネル２５の薄い平板２５ａに固定されている。２５ｄは、前記サブパネル２５の外筒部２５ｂの底面の開口部を覆っている防塵用のメッシュまたは金属プレート等よりなる背面部材である。
【０００８】
２６は、サスペンションで、その形状は、図５に示すように、同心の内部リング部２６ａと外部リング部２６ｂと、両リング部を連結する円弧状のアーム部２６ｃとよりなり、平板状の板バネ部材をプレス抜きなどで成形する。サスペンション２６の内部リング部２６ａは、前記磁気回路２０のヨーク２１に固定され、外部リング部２６ｂは、前記サブパネル２５の外筒部２５ｂと中筒２５ｃに挟持・固定されている。図６に示すように、２７は、内径部２７ａで前記ヨーク２１の外周に固定されたリング状の重り（付加質量）である。前記重り２７は、一般に、タングステンなどの高比重材を重りとして使用している。
【０００９】
以上述べた構成の振動体は、前記サブパネル２５の前面に両面テープ２８等により、電子機器、例えば、携帯電話等の筐体２９に貼付する。ボイスコイル２４の振動がサブパネル２５に伝達され、このサブパネル２５から音響機器のパネルや筐体２９に伝達される。
【発明の開示】
【発明が解決しようとする課題】
【００１０】
解決しようとする問題点は、上記した特許文献１に開示した振動体の構造において、付加質量としての重りとして、一般に、タングステンなどの高比重材を使用するとコストアップになる。また、限られたスペースにて、重り形状を生成しているため、重りとして十分な質量を確保することができなくなる。などの問題があった。
【００１１】
本発明は、上述の欠点を解消するもので、その目的は、重りの外周部に凸部を形成して、重りの質量を効果的に増加させることができる。簡略化構造により、信頼性に優れた、安価な振動体を提供するものである。
【課題を解決するための手段】
【００１２】
上記目的を達成するために、本発明における振動体は、碗形状をしたヨークと、該ヨークの内部に順次積層される板状の磁石およびトップレートから構成される磁気回路と、該磁気回路のヨークの側壁の内周部とトッププレートの外周部との間に形成される空隙内に配置されるボイスコイルと、前記磁気回路の前方でボイスコイルを保持するサブパネルの薄い平板と、該サブパネルの筒部側壁に保持され、前記磁気回路を保持するサスペンションと、前記ヨークの外周部に固定されたリング状の重りを備えた振動体において、前記サスペンションは、同心の内部リング部と外部リング部と、両リング部を連結する円弧状のアーム部とよりなり、前記重りは、外周周辺部が前記サスペンション側に突出する凸部を形成し、該重りの凸部を、前記サスペンションの外部リング部と円弧状のアーム部の間にできる外側空間領域に遊挿するように構成したことを特徴とするものである。
【００１３】
また、前記重りを前記ヨークに固定した状態で、前記重りに形成したと凸部を、前記磁気回路面より高く設定したことを特徴とするものである。
【００１４】
また、前記サスペンションの外部リング部と円弧状のアーム部の間にできる外側空間領域は、振動時に前記重りの凸部と干渉を避けるように設定したことを特徴とするものである。
【発明の効果】
【００１５】
本発明の振動体は、重りの質量を効果的に増加させるために、重りの外周部に凸部を形成し、凸部を磁気回路面より高く設定することにより、サスペンションを含む振動系の過変位を防止でき、金属疲労問題を解消に役立つ。簡略化構造により、信頼性に優れた、安価な振動体を提供することができる。
【発明を実施するための最良の形態】
【００１６】
本発明の振動体について、図面に基づいて説明する。
【実施例】
【００１７】
図１〜図３は、本発明の実施例に係わり、図１は、振動体を構成するサスペンションの平面図、図２は、図１のＢ−Ｂ線断面相当位置の振動体の断面図、図３は、図２の重りの斜視図である。図１〜図３において、従来例と同様に、この振動体の磁気回路１は、略碗形状をしたヨーク２と、該ヨーク２の内部に順次積み重ねられる平板状の磁石３およびトップレート４から構成される。そして、この磁気回路１と、ヨーク２の側壁の内周部と平板状のトッププレート４の外周部との間に形成される空隙（ギャップ）ｇ内にボイスコイル５を配設する。このボイスコイル５は、エナメル被覆銅線であるコイル巻線を矩形断面を有する環状に巻回した空芯ボイスコイルであり、前記磁気回路１の前方でサブパネル６の薄い平板６ａに固定されている。７は、前記サブパネル６の筒状側壁６ｂの底面の開口部を覆っている防塵用のメッシュまたは金属プレート等よりなる背面部材である。
【００１８】
８は、サスペンションで、その形状は、図１に示すように、同心の内部リング部８ａと外部リング部８ｂと、両リング部を連結する円弧状のアーム部８ｃとよりなり、平板状の板バネ部材をプレス抜きなどで成形する。このサスペンション８の外部リング部８ｂと円弧状のアーム部８ｃの間にできる外側空間領域８dの幅ｗ１と、内部リング部８aと円弧状のアーム部８ｃの間にできる内側空間領域８ｅの幅ｗ２との間には、ｗ１をｗ２より大きく設定する。サスペンション８の内部リング部８ａは、前記磁気回路１のヨーク２に固定され、外部リング部８ｂは、前記サブパネル６の筒状側壁６ｂに固定されている。
【００１９】
９は、内径部９ａで前記ヨーク２の外周に固定された付加質量としてのリング状の重りであり、前記重り９は、外周周辺部を前記サスペンション８側に突出するリング状の凸部９ｂを形成し、この凸部９ｂを、前記サスペンション８の外部リング部８ｂと円弧状のアーム部８ｃの間にできる外側空間領域８ｄに遊挿し、凸部９ｂが、前記磁気回路１の面より高く設定すると同時に、振動時に重り９の凸部９ｂとサスペンション８とが干渉しないように設定する。
【００２０】
上記したように、重り９の凸部９ｂが遊挿される前記サスペンション８の外側空間領域８dの幅ｗ１を広くし、且つ磁気回路１の面より高く設定したのは、前記重り９の体積を増大させて、重りとしての十分な質量を確保するためである。
【００２１】
以上述べた構成の振動体は、前記サブパネル６の薄い平板６ａに両面テープ１０等により、電子機器、例えば、携帯電話等のパネルや筐体１１に固着されている。
【００２２】
以上述べた構成の振動体の作用・効果について説明する。本発明の振動体は、重り９の凸部９ｂを形成し、且つ磁気回路１の面より高く設定することにより、重りとしての十分な質量を確保することが可能になり、サスペンションを含む振動系の過変位を防止でき、金属疲労問題を解消する。簡略化構造により、信頼性に優れた、安価な振動体を提供することが可能である。
【図面の簡単な説明】
【００２３】
【図１】本発明の実施例に係わる振動体を構成するサスペンションの平面図である。
【図２】図１のサスペンションのＢ−Ｂ線断面に相当する振動体の断面図である。
【図３】図２の重りの斜視図である。
【図４】従来例の振動体の断面図である。
【図５】従来の振動体を構成するサスペンションの平面図である。
【図６】図５のサスペンションのＡ−A線断面に相当する振動体の断面図である。
【符号の説明】
【００２４】
１  磁気回路
２  ヨーク
３  磁石
４  トップレート
５  ボイスコイル
６  サブパネル
６ａ  平板
６ｂ  筒状側壁
８  サスペンション
８ａ  内部リング部
８ｂ  外部リング部
８ｃ  アーム部
８ｄ  外側空間領域
８ｅ  内側空間領域
９  重り
９ｂ  凸部
１１  パネル
【図１】
2006203709.tif 000003
【図２】
2006203709.tif 000004
【図３】
2006203709.tif 000005
【図４】
2006203709.tif 000006
【図５】
2006203709.tif 000007
【図６】
2006203709.tif 000008